(57)【要約】【課題】所定の装置内に格納された個人情報のセキュリティを確保した上で緊急時等本人がセキュリティロックを解除不可の場合にも当該個人情報を有効活用可能とし得る構成を提供することを目的とする。【解決手段】救急隊員等の特権者は当事者の携帯端末装置１００にて自己のＩＤを個人情報管理装置２００に対して通知すると同装置では特権者ＩＤにて認証して該当携帯端末装置の所有者の個人情報を個人情報記憶部２１０から読み出してアクセス元の携帯電話装置１００に返信する構成を有する。【選択図】      図１
2004341738.tif 000002
【特許請求の範囲】
【請求項１】
所定の権限を有する特権者による個人情報を入手するための情報処理システムであって、
特権者によって所定の状況下の当事者の保持する携帯端末装置にて当該特権者のＩＤが発信されると、同時に発信される当該携帯端末装置自体のＩＤと該特権者のＩＤとを受信する受信手段と、
該受信された特権者のＩＤを、予め登録された特権者ＩＤと照合する照合手段と、
該照合の結果一致するデータが有れば前記携帯端末装置自体のＩＤを予め登録された個人情報データベースから検索する検索手段と、
該検索手段による検索結果である前記当事者の個人情報を前記携帯端末装置に対して送信する送信手段とよりなる情報処理システム。
【請求項２】
所定の権限を有する特権者による個人情報を入手するための情報処理方法であって、
特権者が所定の状況下の当事者の保持する携帯端末装置にて自己のＩＤを発信する発信段階と、
前記発信段階にて同時に発信される当該携帯端末装置自体のＩＤと該特権者のＩＤとを所定の管理装置にて受信する受信段階と、
該受信された特権者のＩＤを予め登録された特権者ＩＤと照合する照合段階と、
該照合の結果一致するデータが有れば前記携帯端末装置自体のＩＤを予め登録された個人情報データベースから検索する検索段階と、
該検索段階による検索結果である前記当事者の個人情報を前記携帯端末装置に対して送信する送信段階とよりなる情報処理方法。
【請求項３】
所定の権限を有する特権者による個人情報を入手するための情報処理システムであって、
上記特権者が該当現場に出動する際に自己の特権者ＩＤを特定イベント特権者ＩＤとして登録する特権者ＩＤ登録手段と、
当該特権者が上記該当現場に到着時に再度自己の特権者ＩＤを発信すると共に所定の位置検出機能によって自己の位置情報を検出した後当該位置情報を発信する特権者情報発信手段と、
前記特権者情報発信手段から発信された特権者のＩＤとその位置情報とを受信した後、該ＩＤと、前記特権者ＩＤ登録段階にて登録された特定イベント特権者ＩＤと照合し、両者が一致すれば当該特権者の位置情報を特定イベント位置情報として登録する位置情報登録手段と、
前記特権者が前記当事者が保持する携帯端末装置にて再度自己のＩＤを発信すると共に、当該携帯端末装置自体のＩＤに加え、所定の位置検出機能によって自装置の位置情報を検出した後当該位置情報を発信する当事者情報発信手段と、
前記特権者情報発信手段から発信され前記位置情報登録手段にて前記特定イベント位置情報として登録された位置情報と前記当事者情報発信手段から発信された当事者の携帯端末装置の位置情報とを照合し、両者の一致を条件として前記特権者情報発信手段から発信された当該携帯端末装置のＩＤによって識別される前記当事者の個人情報を当該携帯端末装置に対して送信する個人情報送信手段とよりなる情報処理システム。
【発明の詳細な説明】
【０００１】
【発明の属する技術分野】
本発明は情報処理システム及び情報処理方法に係り、特に所定の権限を有する特権者による個人情報の取得を可能とする情報処理システム及び情報処理方法に関する。
【０００２】
【従来の技術】
所謂救急救命医療分野において、交通事故、種々の災害、発病等の不測の事態において該当現場に駆けつけた救急隊が当事者の医療救命等に当たる際、当該当事者の個人情報、即ち身元情報（住所、氏名、年齢、緊急通報先等）、医療情報（血液型、疾病、かかりつけの病院及び主治医、既往症、緊急時の処置方法）等が必要となるが、当該当事者が意識不明等の状態にある場合にはこれら個人情報を容易には取得することが困難であり、そのため適切な処置を迅速に施すことが出来ない等の問題が発生し得る。
【０００３】
他方、個人情報の登録、登録個人情報の参照等に関する技術として、特許文献１，特許文献２等にて開示されたシステムがある。これらのシステムでは予め登録された個人情報に対するアクセス権を、本人がパスワード、ＩＤ等を入力して認証を得ることで獲得し、当該アクセス権にて該当する個人情報にアクセスする構成とされている。
【０００４】
【特許文献１】
特開２００２−２４５３５１号公報
【０００５】
【特許文献２】
特開２００２−２０３１３１号公報
【０００６】
【発明が解決しようとする課題】
一般にこのような個人情報はプライバシー保護の観点から第三者に漏洩することを防止するためにセキュリティロックが掛けられた状態で所定のデータベースに格納され、所定の認証動作を経てセキュリティロック状態を解除することで初めてアクセス権が与えられる。そしてこの認証動作には一般に本人のみ知り得るパスワード等の入力が条件とされる。したがって上記救急救命医療分野において緊急時に本人が意識不明等の場合、他人である救急隊員等では当該認証動作に必要なパスワード情報が得られず、もって該当する個人情報を得ることは出来ない。
【０００７】
本発明は上記問題点に鑑み、上記の如くの緊急事態において、他人である救急隊員等、特定の者によっては当該緊急事態の当事者の個人情報を取得可能とする情報処理システム及び方法を提供することを目的とする。
【０００８】
【課題を解決するための手段】
上記目的の達成のため、本発明では、予め登録された所定の特権者が所定の状況下の当事者の保持する携帯端末装置にて自己のＩＤを発信すると、同時に発信される当該携帯端末装置のＩＤと該特権者のＩＤとを使用し、特権者のＩＤを予め登録された特権者ＩＤと照合し、該照合の結果一致すれば前記携帯端末装置のＩＤを予め登録された個人情報データベースから検索してその検索結果である前記当事者の個人情報を前記携帯端末装置に対して送信する構成とした。
【０００９】
このような構成とすることによって予め登録された特権者はそのＩＤの入力によって認証を受けるとその携帯端末装置を通じて当事者の個人情報を入手可能なため、迅速に該当する個人情報を取得可能であり、上記の如くの緊急事態等においても当該取得個人情報の利用により迅速に適切な対処が可能となる。
【００１０】
又、本発明の他の面によれば、所定の状況発生の察知によって所定の特権者が該当する現場に出動する際に自己の特権者ＩＤを特定イベント特権者ＩＤとして登録しておき、当該特権者が上記該当現場に到着時に再度自己の特権者ＩＤを発信すると共に所定の位置検出機能によって自己の位置情報を検出した後当該位置情報を発信すると、所定の位置登録装置にてこれらが受信され、受信された特権者ＩＤと前記予め登録された特定イベント特権者ＩＤとの照合の結果両者が一致すれば当該特権者の位置情報を特定イベント位置情報として登録する。
【００１１】
更に前記特権者が前記所定の状況下の当事者が保持する携帯端末装置にて再度自己のＩＤを発信すると当該携帯端末装置は自装置のＩＤと所定の位置検出機能によって検出された自装置の位置情報とが自動的に発信され、これらを受信した個人情報管理装置では前記特定イベント位置情報として登録された位置情報とここで受信された当事者の携帯端末装置の位置情報とを照合し、両者の一致を条件として受信された当該携帯端末装置のＩＤによって識別される前記当事者の個人情報を前記アクセス元の携帯端末装置に対して発信する構成とした。
【００１２】
このような構成とすれば、特権者は予め出動時に自己のＩＤを登録しておき、その後現場到着時に再度自己のＩＤを発信して当該予め登録済みの自己のＩＤとの一致を条件として所定の位置検出機能により取得した自己の位置情報を登録させることが可能となる。そして特権者は意識不明状態の当事者に代わって当該当事者の個人情報に対するアクセス行為として当該当事者保持の携帯端末装置にて再度自己のＩＤを発信すると、当該携帯端末装置により自動的に自装置のＩＤ（自端末電話番号等）と、自装置内の位置検出機能（ＧＰＳ等）によって取得された位置情報とが発信される。するとこれらの情報のうち少なくとも携帯端末装置の位置情報が上記登録済みの特権者の位置情報との一致を条件として当該携帯端末装置によるアクセス行為に対する認証が完了される。その結果予め登録された当該当事者の個人情報に対するセキュリティロック状態が解除され、上記認証されたアクセス行為に対する応答として当該個人情報が当該アクセス行為元の携帯端末装置に対して送信されることとなる。
【００１３】
従って、仮に特権者ＩＤ情報が何らかの事情で漏洩し、当該ＩＤが悪意のある第３者に渡った場合であっても、当該悪意を有する第３者は該当する特権者に伴って所定の現場に出向き、更に該当する当事者の携帯端末装置にて、当該ＩＤを発信しない限り当該当事者の個人情報を取得することは出来ない。したがって個人情報は強固に保護されることとなる。
【００１４】
上述の如くの構成を有する本発明によれば、予め登録された個人情報（住所、氏名、年齢、緊急通報先等）、当事者に関する医療情報（血液型、疾病、かかりつけ病院、主治医、緊急時の処置方法等）が、緊急時等に特定の権限を有する者によっては取得可能となり、当該情報を利用することによって当該当事者に対して迅速且つ的確な救急救命等の処置を施すことが可能となる。
【００１５】
又、これら個人情報（住所、氏名、年齢、緊急通報先等）については、当事者本人による随時の登録／変更を可能とし、更に医療情報（血液型、疾病、かかりつけ病院、主治医、緊急時の処置方法等）については、所定の医療機関等による随時の登録／変更を可能とする構成を設けることが望ましい。このような構成とすることにより、より信憑性の高い情報を提供することが可能となる。
【００１６】
【発明の実施の形態】
以下に図面と共に本発明の実施例について説明する。
【００１７】
先ず、本発明の第１実施例による特権者による個人情報参照のためのシステムについて説明する。
【００１８】
このシステムは、図１に示す如く、救急隊員等の特権者が個人情報管理装置へのアクセス権限を持つ第３者の携帯電話１００を使用してインターネット等の既存の通信手段３００を介して個人情報管理装置２００の個人情報記憶部２１０（個人入力記憶部２１１及び、機関入力記憶部２１２）に保存されている当該携帯電話１００保持者本人の個人の情報を参照するためのものである。
【００１９】
ここで携帯電話装置１００には予め個人情報管理装置２００へのアクセス権限が設定され、通信部１１０、セキュリティー機能部２１０及び個人情報参更新照部１３０が設けられている。他方、個人情報管理装置２００は、携帯電話通信部２２０、セキュリティー照合部２３０、個人情報アクセス部２５０、特権者アクセス記憶部２４０、並びに個人情報記憶部２１０とを含む。
【００２０】
上記特権者アクセス記憶部２４０には、図２に示す如くの情報が予め格納されており。又、個人情報記憶部２１０には、図３に示す如くの情報が予め格納されている。尚、個人情報記憶部２１０への情報の格納方法については後述する。
【００２１】
携帯電話装置１００の通信部１１０は、ユーザが当該携帯電話装置１００を操作した際の発信機能の他に、その携帯電話装置１００の電話番号（装置ＩＤ）並びにセキュリティー機能部１２０から取得した所定の特権者のＩＤを個人情報管理装置２００に送信し、それに対して個人情報管理装置２００から当該携帯電話の所有者の個人情報を取得した後、その情報を個人情報参照更新部１３０に渡す。又、セキュリティー機能部１２０は、上記特権者のＩＤの入力を受け付けて通信部１１０に送信する機能を有する。個人情報参照更新部１３０は、通信部１１０から渡される上記個人情報を当該携帯電話のモニタに表示する機能を有する。
【００２２】
個人情報管理装置２００の携帯電話通信部２２０は携帯電話装置１００からの着信を行い、当該携帯電話装置の発信番号（装置ＩＤ）を取得して個人情報アクセス部２５０に渡す機能並びに携帯電話装置１００から送信された上記特権者のＩＤをセキュリティー照合部２３０に渡す機能を有する。セキュリティー照合部２３０は携帯電話通信部２２０から取得した特権者のＩＤを特権者アクセス記憶部２４０から検索し、その結果当該ＩＤが存在すれば照合完了の旨の通知を個人情報アクセス部２５０に送る。
【００２３】
個人情報アクセス部２５０は、携帯電話通信部２２０から上記携帯電話装置の発信番号（装置ＩＤ）を取得し、又セキュリティー照合部２３０からの照合完了の通知を受信すると、個人情報記憶部２１０から当該発信番号を検索し、その検索結果として該当する個人入力記憶部及び機関入力記憶部に格納された情報を読出し、これを携帯電話通信部２２０に送る。
【００２４】
このように特権者は個人情報管理装置２００へのアクセス権限を持つ第３者の携帯電話装置１００を使用し既存の通信手段（インターネット等）３００を介して個人情報管理装置２００の個人情報記憶部２１０（個人入力記憶部２１１及び、機関入力記憶部２１２）に格納された携帯電話装置１００保持者本人の個人の情報を参照するが出来る。そのため、個人情報管理装置２００へのアクセス権限を持つ第３者（即ち携帯電話所有者等）の個人情報を迅速かつ的確に取得することができる。
【００２５】
次に、本発明の第１実施例による、携帯電話装置１００を保持する本人からの個人情報登録方法について説明する。この方法は携帯電話装置１００を保持する本人が、本人の携帯電話装置１００から既存の通信手段（インターネット等）３００を介して個人情報管理装置２００の個人情報記憶部２１０内の個人入力記憶部２１１に個人情報を登録するための方法である。
【００２６】
個人情報管理装置２００は更に個人アクセス記憶部２６０を有し、そこには図４の示す如くの情報が格納され、携帯電話装置１００の加入者契約の際、個人情報管理装置２００のアクセス権限が設定される時点で格納される。
【００２７】
この場合携帯電話装置１００の通信部１００は、携帯電話装置１００が操作された際の発信機能に加え、携帯電話装置１００の電話番号（自装置ＩＤ）と、セキュリティー機能部１２０から取得した携帯電話装置１００の所有者たる個人のＩＤと、個人情報参照更新部１３０から取得した個人情報を個人情報管理装置２００に送信する。
【００２８】
ここで、上記個人ＩＤ及び個人情報は携帯電話装置１００の所有者たる本人が携帯電話装置を操作することによって装置に対して入力する。又、セキュリティー機能部１２０は、個人のＩＤの上記操作入力を受け付けて通信部１１０に渡す機能を有し、個人情報参照更新部１３０は、上記操作入力に夜の個人情報の更新を受け付け通信部１１０に渡す機能を有する。
【００２９】
個人情報管理部２００の携帯電話通信部２２０は、上記携帯電話装置１００からの信号が着信すると、受信された携帯電話装置１００の発信番号（装置ＩＤ）を取得して個人情報アクセス部に送信し、携帯電話装置１００から送信された個人のＩＤをセキュリティー照合部２３０に渡す。セキュリティー照合部２３０は、携帯電話通信部２２０から取得した個人のＩＤを個人アクセス記憶部２６０から検索し、当該ＩＤが存在すれば照合完了の旨の通知を個人情報アクセス部２００に送信する。
【００３０】
個人情報アクセス部２００は、上記の如く携帯電話通信部２２０から渡された発信番号（装置ＩＤ）を受け、且つ、セキュリティー照合部２３０から上記照合完了の通知を受けると個人情報記憶部２１０内の個人情報記憶部２１１から上記発信番号をキーとして検索し、検索結果としての該当する個人情報を携帯電話通信部２２０に渡す機能、並びに携帯電話通信部２２０からの渡された受信個人情報にて、上記発信装置番号に対応した個人情報記憶部２１０内の個人入力記憶部２１２の情報項目を更新する機能を有する。
【００３１】
このように携帯電話装置１００を保持する本人が、本人の携帯電話装置から既存の通信手段（インターネット等）３００を介して個人情報管理装置２００の個人情報記憶部２１０内の個人入力記憶部２１１に個人情報を登録又は個人情報によって自己の情報項目を更新することが出来る。そのため、個人情報管理装置２００にて管理する個人情報をリアルタイムで更新可能であり、もって個人情報管理装置２００は常にアップデートな情報を提供することができる。
【００３２】
次に、本発明の第１実施例による、所定の機関（医療機関等）による個人情報登録方法について説明する。ここでは、携帯電話装置１００を保持する本人が所定の機関と何らかの接触をした場合に、その本人に関する個人情報を当該機関に設けられた装置（機関装置と称する）を使用して既存の通信手段（インターネット等）３００を介して個人情報管理装置２００の個人情報記憶部２１０内の機関入力記憶部２１２に個人情報を登録する。
【００３３】
上記機関装値４００には、予め個人情報管理装置２００へのアクセス権限が設定され、通信部４１０、セキュリティー機能部４２０並びに個人情報参照更新部４３０よりなる。個人情報管理装置２００は更に機関者アクセス記憶部２７０を有する。この機関者アクセス記憶部２７０には、図５に示す情報が予め格納されている。
【００３４】
機関装置４００の通信部４１０は、機関装置４００が操作された際の発信機能を有すると共に、個人情報管理装置２００へのアクセス権限を有し、特定の個人の携帯電話番号と、セキュリティー機能部４２０から受けた機関者のＩＤと、個人情報参照更新部４３０から受けた上記特定の個人の個人情報とを個人情報管理装置２００に送信すると共に、個人情報管理装置２００から個人情報を取得し、当該個人情報を個人情報参照更新部４３０に渡す機能を有する。セキュリティー機能部４２０は、機関者のＩＤの操作入力を受け付けて通信部４１０に送信し、個人情報参照更新部４３０は、通信部４１０から上記個人情報を受けて機関装置４００のモニタに表示する機能と共に、機関者からの個人情報の更新操作入力を受け付けて、該当更新情報を通信部４１０に渡す。
【００３５】
個人情報管理装置２００は更に機関通信部２８０を有し、当該機関通信部２８０は、機関装置４００からの信号を着信すると、受信された当該個人情報管理装置２００へのアクセス権限を有する上記特定の個人の携帯電話番号（装置ＩＤ）を取得して個人情報アクセス部２５０に渡し、機関装置４００から受信された機関者のＩＤを取得してセキュリティー照合部２３０に渡す。セキュリティー照合部２３０は、機関通信部２８０から取得したＩＤを機関者アクセス記憶部２７０から検索し、該当するＩＤが存在すれば照合完了の旨の通知を個人情報アクセス部２５０に発行する。
【００３６】
個人情報アクセス部２５０は、機関通信部２８０からの上記個人情報管理装置へのアクセス権限を有する特定の個人の携帯電話番号（装置ＩＤ）を取得し、セキュリティー照合部２３０から上記照合完了の通知を受けると、個人情報記憶部２１０内の個人情報記憶部２１１から上記携帯電話番号にて検索し、検索で得られた該当の個人情報を機関通信部２８０に送信する。他方機関通信部２８０から渡された個人情報にて、上記携帯電話番号に対応する個人情報記憶部内の機関入力記憶部の情報項目を更新する。
【００３７】
このように携帯電話装置を保持する本人が所定の機関と接触した場合、即ち病院に診察に行った場合等に、その際機関側で得られた本人に関する個人情報を機関装置４００から既存の通信手段（インターネット等）３００を介して個人情報管理装置２００の個人情報記憶部２１０内の機関入力記憶部２１２に当該個人情報を登録すること出来る。このため、個人情報管理装置２００にて管理する個人情報をリアルタイムで更新可能であり、もって個人情報管理装置２００は常にアップデートな情報を提供することができる。
【００３８】
次に上記本発明の第１実施例の情報処理システムにおける実際の動作例について説明する。最初に携帯電話装置１００を保持する本人が、本人の携帯電話装置１００からインターネット等を介して個人情報管理装置２００の個人情報記憶部内の個人入力記憶部に個人情報を登録する場合の例について説明する。
【００３９】
この場合本人は、携帯電話装置１００入手時の移動体通信事業者との契約時に個人情報管理装置３００へのアクセス権限及び、所定の特権者による自己の個人情報の公開について承諾する契約を交わす。次に本人は、携帯電話装置１００を用いて個人情報管理装置２００に対し、インターネット３００を介してアクセス操作を行う。当該携帯電話装置１００からのアクセス操作による信号を受信した個人情報管理装置２００は、当該携帯電話装置１００に対し、アクセス権限の承認の為に、ＩＤを待ち受ける状態となる。
【００４０】
当該携帯電話装置１００を操作する本人は、個人情報管理装置２００に対してアクセス権限の承諾を受けるため、本人のＩＤを操作入力し、個人情報管理装置２００に対して当該ＩＤを送信する。この本人のＩＤを受信した個人情報管理装置２００は、当該携帯電話装置１００より発信された携帯電話番号と個人アクセスＩＤとを上記契約時に個人アクセス記憶部２６０に登録された登録情報（図６参照）と照合し、一致すれば本人からのアクセスであると判断する。
【００４１】
これにより個人情報管理装置２００は、図７に示す個人情報記憶部２１０内の個人情報を当該携帯電話装置１００に対して送信する。これらの情報を受信した携帯電話装置１００は、当該個人情報を自装置のディスプレイに表示する。本人はその表示内容を見ながら必要な情報変更操作を行なう。情報変更操作後は、本人による送信操作により携帯電話装置１００から個人情報管理装置２００に対して送信される。個人情報管理装置２００は、当該携帯電話装置１００からの個人情報を受信すると、個人情報記憶部２１０内の所定の情報項目において対応する更新処理を行う。
【００４２】
次に、所定機関からの個人情報登録の例について説明する。ここでは携帯電話装置１００を保持する本人が病院等の機関と接触した場合、その本人に関する個人情報が機関装置４００からインターネット等３００を介して個人情報管理装置２００の個人情報記憶部２１０内の機関入力記憶部２１２の対応する項目に登録される。
【００４３】
即ち例えば携帯電話装置１００を保持する患者を診察した所定の機関として病院の医師（機関者）は、機関装置４００に対して当該患者が保持する携帯電話装置の携帯電話番号を入力して個人情報管理装置２００へのアクセス操作を行なう。個人情報管理装置２００は、当該アクセス操作によって特権者からのアクセスであることを判別するためにアクセスＩＤの入力を待ち受ける。当該医師は、機関装置４００に対して自己の機関者アクセスＩＤを入力し、これを個人情報管理装置２００に送信する。
【００４４】
これを受信した個人情報管理装置２００は、受信した機関者アクセスＩＤと発信番号である機関者電話番号をキーとして機関者アクセス記憶部２７０（図８参照）を検索し、一致するデータがあれば認証完了とし、前記の如く受信された患者の携帯電話装置の携帯電話番号を使用して機関入力記憶部２１２内の該当する患者の個人情報（図９参照）を取得し、これを機関装置４００に送信する。
【００４５】
これを受信した機関装置４００は、そのディスプレイに受信情報を表示する。これに対し医師である機関者は該当該患者の情報の入力操作を機関装置４００に対して行う。この後、機関装置４００からの情報送信を行うことで、個人情報管理装置２００では、当該患者の個人情報記憶部２１０内の機関入力記憶部２１２の対応する情報が更新される。
【００４６】
次に、所定の特権者からの個人情報参照の例について説明する。ここでは個人情報管理装置２００へのアクセス権限を持つ第３者の携帯電話装置１００から所定の特権者が、インターネット等３００を介して個人情報管理装置３００の個人情報記憶部２１０（個人入力記憶部２１１及び、機関入力記憶部２１２）に格納された携帯電話装置１００保持者本人の個人の情報を参照する。
【００４７】
即ち、携帯電話装置１００を保持する本人が例えば持病の発作を起こして意識不明の重態状態となって会話などが困難となった場合、通報を受けて救助に駆けつけた救急隊は当該重態の被害者本人の携帯電話装置１００を使用して発呼することにより個人情報管理装置２００にアクセスする。これに対し個人情報管理装置２００は、アクセス権限の承認のためＩＤの受信を待ち受ける。救急隊員は救急隊員本人が保持する特権者アクセスＩＤを当該携帯電話装置１００より入力し、送信する。個人情報管理装置２００は、これを受信し、特権者アクセス記憶部２４０に登録されたデータ（図１０参照）と照合判定することによって該当するアクセス行為が特権者からのアクセスであるとを判断する。
【００４８】
その場合、当該携帯電話装置２００より発信された発信携帯電話番号に該当する個人情報記憶部２１０内の個人入力記憶部２１１、機関入力記憶部２１２の情報（図１１参照）が該携帯電話装置１００に対して送信される。この情報を受信した当該携帯電話装置１００は、そのディスプレイに受信情報を表示する。この情報を参照した救急隊員はその情報を利用することによって当該重態の当事者に対し的確な医療行為等の処置を行うことが出来る。
【００４９】
このように本発明の第１実施例によれば、個人情報管理装置２００へのアクセス権限を有した携帯電話装置１００の保持者はリアルタイムに自己の個人情報を個人情報管理装置２００に登録保存、又は更新することが出来る。又、機関装置４００から個人情報管理装置２００へのアクセス権限を有した第三者、即ち機関者（医師等）は、当該携帯電話装置１００の所有者の個人情報を個人情報管理装置２００に登録保存、又は更新することが出来る。更に個人情報管理装置２００へのアクセス権限を有した携帯電話装置１００の保持者の携帯電話装置１００を所持した特権者（救急隊員等）は、携帯電話装置１００の所有者の個人情報を参照することが出来る。その際、これら個人情報管理装置２００へのアクセス権限を有した携帯電話装置１００の所有者、機関者、並びに特権者は、夫々ＩＤによるセキュリティー照合を適用しているため、不特定の第三者に情報が漏れる危険性を効果的に除去可能である。
【００５０】
次に本発明の第２実施例について説明する。図１２は、本発明の第２実施例による情報処理システムにおける個人情報登録処理を示す。このシステムは、インターネット等による通信アクセク機能を具備する携帯電話装置と、インターネット等による通信アクセク機能を具備する機関装置と、インターネット等による通信アクセク機能を具備する個人情報管理センターとから構成される。
【００５１】
ここで携帯電話装置を保持する本人からの個人情報登録処理は以下の通りに実行される。即ち、携帯電話装置を保持する本人が、本人の携帯電話装置から既存の通信手段（インターネット等）を介して個人情報管理センターの個人情報ＤＢ中の個人入力ＤＢに個人の情報を登録する。
【００５２】
尚、携帯電話加入時に加入者本人は、予め個人情報管理サービスの契約を行っているものとする（ステップＳ１）。先ず本人は、本人の携帯電話装置を使用して個人情報管理センターに発呼する（ステップＳ２）。この時、個人情報管理センターに着信した呼により、発信装置の電話番号が取得される（ステップＳ５）。次に本人は、本人確認（認証）の為、セキュリティーパスワードを操作入力した後送信し、個人情報管理センターへのアクセス権を取得する（ステップＳ３）。
【００５３】
この時、上記ステップＳ３にて個人情報管理センターに通知された本人のセキュリティーパスワードは、個人アクセス者ＤＢに管理されている発信装置電話番号並びに上記セキュリティーパスワードの登録データとの照合に使用される。このようにして当該本人が個人情報ＤＢにアクセス可能か否かの照合処理を行う（ステップＳ６）
次に本人は、個人情報ＤＢ中の個人入力ＤＢに対し、個人の情報を登録／更新するための操作を行なう（ステップＳ４）。その結果個人情報管理センターに通知された個人の情報にて個人情報ＤＢ内の個人入力ＤＢの対応する情報の登録／更新が行なわれる（ステップＳ７）。
【００５４】
次に、図１２を参照して上記本発明の第２実施例による情報処理システムにおける所定の機関からの個人情報登録処理について説明する。携帯電話装置を保持する本人が、機関（病院、警察等）との接触を行った場合、その本人に関する個人情報が当該機関側の機関装置から既存の通信手段（インターネット等）を介して上記個人情報管理センターの個人情報ＤＢ内機関入力ＤＢに登録される。
【００５５】
即ち、機関の個人情報管理センターへのアクセス権利者は、機関装置から個人情報管理センターに発呼する（ステップＳ８）。この時、個人情報管理センターに着信した呼により、当該発信装置の電話番号が通知される（ステップＳ１１）。次に上記機関の個人情報管理センターへのアクセス権利者は、自己の認証の為、予め個人情報管理サービス契約している携帯電話番号並びにセキュリティーパスワードを操作入力し、個人情報管理センターへのアクセス権を取得する（ステップＳ９）。
【００５６】
このとき、ステップＳ８にて個人情報管理センターに通知された個人情報管理センターアクセス権利者の個人情報管理サービス契約している携帯電話番号並びにセキュリティーパスワードは、機関セクセス者ＤＢに管理されている対応する発信装置電話番号並びにステップＳ９にて操作入力されたセキュリティーパスワードとの照合に使用される。この照合判定にて当該アクセス者が個人情報ＤＢにアクセス可能か否かを判定する（ステップＳ１２）。
【００５７】
この判定の結果、アクセス可能との判定であれば当該個人情報管理センターアクセス権利者は、個人情報ＤＢ内機関入力ＤＢに対し、当該携帯電話保持者に関する情報を登録する操作を行なう。その結果個人情報管理センターに通知された携帯電話保持者の情報にて、個人情報ＤＢ内機関入力ＤＢの該当するデータの登録／更新が完了される（ステップＳ１３）。
【００５８】
次に、上記本発明の第２実施例による情報処理システムにおける個人情報参照処理につき、図１３と共に説明する。先ず、携帯電話を保持する本人からの個人情報参照処理について説明する。携帯電話を保持する本人が、本人の携帯電話から既存の通信手段（インターネット等）を介して個人情報管理センターの個人情報ＤＢ内個人入力ＤＢに個人の情報を参照する場合、当該本人は、本人の携帯電話を使用して個人情報管理センターに発呼する（ステップＳ３１）。その結果個人情報管理センターに着信した呼により、当該発信装置の電話番号が通知される（ステップＳ３４）。
【００５９】
次に本人は、本人確認の為、セキュリティーパスワードを操作入力し、個人情報管理センターへのアクセス権を取得する（ステップＳ３２）。この時、個人情報管理センターに通知された本人のセキュリティーパスワードは、前記発信装置の電話番号と共に個人セクセス者ＤＢに管理されている発信装置電話番号とセキュリティーパスワードとの照合に使用される。このようにして当該発信装置に対し個人情報ＤＢに対するアクセスが可能か否かの判定を行なう（ステップＳ３５）。
【００６０】
ここで認証が完了した場合、該当する本人は、個人情報ＤＢ内個人入力ＤＢから自己の個人情報を参照するための操作を行なう。この場合個人情報管理センターは個人情報ＤＢ内個人入力ＤＢの該当する個人情報を読み出し、該当する携帯電話に対して送信する（ステップＳ３６）。
【００６１】
次に所定の機関からの個人情報参照動作について説明する。即ち、機関側装置から既存の通信手段（インターネット等）を介して個人情報管理センターの個人情報ＤＢ内機関入力ＤＢの個人の情報を参照する。この場合、病院等の機関の個人情報管理センターアクセスの権利者は、機関装置から個人情報管理センターに対して発呼する（ステップＳ３７）。その結果、個人情報管理センターに着信した呼によって当該発信装置の電話番号がセンターに対して通知される（ステップＳ１０）。
【００６２】
次に上記個人情報管理センターアクセスの権利者は、自己の認証のため、予め個人情報管理サービス契約している携帯電話番号とセキュリティーパスワードを入力操作することで個人情報管理センターへのアクセス権を取得する（ステップＳ３８）。この時、ステップＳ３８にて個人情報管理センターに通知された個人情報管理センターアクセス権利者の上記「個人情報管理サービス契約している携帯電話番号」と「セキュリティーパスワード」は、機関セクセス者ＤＢに管理されている対応する「発信装置電話番号」並びに「セキュリティーパスワード」との照合で使用され、もって当該発信者に対し、個人情報ＤＢにアクセス可能か否かの照合処理を行う（ステップＳ４１）。
【００６３】
このようにして認証処理が済むと、個人情報管理センターアクセス権利者は個人情報ＤＢ内機関入力ＤＢから、既に登録済みの携帯電話保持者と接触した際の情報を参照する。この時、個人情報管理センターは、携帯電話保持者の情報を個人情報ＤＢ内機関入力ＤＢから対応する情報読み出し、これを機関装置へ送信する（ステップＳ４２）。
【００６４】
次に、特権者からの個人情報参照について説明する。この場合、予め個人情報管理サービスを契約している第３者の携帯電話を使用して、救急隊員等の特権者が、既存の通信手段（インターネット等）を介して個人情報管理センターの個人情報ＤＢ内個人入力ＤＢに上記携帯電話保持者本人の個人の情報を参照する。先ず特権者は、個人情報管理サービスを契約した第３者の携帯電話を使用して個人情報管理センターに発呼する（ステップＳ４３）。その結果、個人情報管理センターに着信した呼により、発信装置の電話番号が同センターに通知されることになる（ステップＳ４６）
次に特権者は、本人確認の為、セキュリティーＩＤとパスワードを操作入力し、個人情報管理センターへのアクセス権を取得する（ステップＳ４４）。この時、個人情報管理センターに通知された上記特権者のセキュリティーＩＤとパスワードは、上記の如く通知された発信者電話番号と共に特権者セクセス者ＤＢに管理されている発信装置電話番号、セキュリティーＩＤ並びにパスワードの照合に使用され、もって当該発信者に対して個人情報ＤＢにアクセス可能か否かを判定する（ステップＳ４７）。
【００６５】
この認証処理が完了すれば、特権者は個人情報ＤＢ内個人入力ＤＢ及び機関入力ＤＢから、当該個人情報管理サービスを契約した第３者の個人の情報を参照可能となる。この場合、個人情報管理センターは、個人情報ＤＢ−個人入力ＤＢ及び、機関入力ＤＢに格納された該当する個人の情報を読み出し、上記携帯電話に対して送信する（ステップＳ４８）。
【００６６】
このように本発明の第２実施例によれば、従来とは異なり、第３者（特権者）が、携帯電話持ち主の個人情報を参照できるため、緊急時に本人による所定の認証処理が行えない場合でも特権者が当該個人情報を入手可能となる。
【００６７】
この場合、特権者は、自己が保持するセキュリティーＩＤ並びにパスワードによって認証処理を行なうことで個人情報管理センターに対するアクセス権を獲得する。その結果、該当する特権者ＩＤ、パスワードを所持した特権者によってのみ個人情報に対するアクセスが可能とされるため、不特定の第３者に個人情報が漏洩することが防止される。
【００６８】
又、上記構成により加入者が救急の事態に遭遇した際でも治療対応、親族への通知等が迅速に行える。即ち、予め登録された個人情報として「かかりつけ病院名、血液型、持病等」を特権者が取得することでこれらの情報が把握され有効に利用され得る。
【００６９】
又、個人情報ＤＢは、個人入力ＤＢ、機関入力ＤＢから構成されており、携帯電話保持者本人からは個人入力ＤＢの更新／参照が可能とされ、機関装置からは機関入力ＤＢの更新／参照が可能とされ、特権者からは個人入力ＤＢ及び、機関入力ＤＢの更新／参照が可能される。
【００７０】
尚、このような構成を有する本発明は、救急時の個人情報公開の為の付加サービス、保険サービス業者用情報サービス、持病保持者もしくは医師からの監視が必要な患者への救急時対応等に有効である。
【００７１】
次に本発明の第３実施例について図１４、図１５と共に説明する。尚、同第３実施例はその基本構成は図１と共に上述の第１実施例と共通であり、対応する構成部には同じ符号を付し、重複する説明を適宜省略する。
【００７２】
第３実施例の場合、特権者からの個人情報参照処理は、個人情報管理装置２００へのアクセス権限を持つ第３者の携帯電話１００から救急隊員等の特権者がインターネット等３００を介して個人情報管理装置２００の個人情報記憶部２１０（個人入力記憶部２１１及び、機関入力記憶部２１２）に携帯電話１００保持者本人の個人の情報を参照する処理である。
【００７３】
先ず、救急隊の出動時、消防署等から向かう救急出動先の位置情報及び、出動する救急隊ＩＤを、署内の位置情報管理装置５００に対して入力する。入力された位置情報及び、出動する救急隊ＩＤは、その特権者位置情報記憶部５２０に保持される（ステップＳ６１）。そして救急出動先に到着した救急隊は、救急車等に備え付けられた位置情報発信装置６００の入力部６１０から再び救急隊ＩＤを入力する。救急隊ＩＤが入力されると位置情報送信部６２０は、この救急隊ＩＤの他、周知の衛星ＧＰＳ（グローバルポジショニングシステム）機能等を用い、救急車の位置情報を取得し、これらの情報を位置情報管理装置５００に送信する（ステップＳ６２）。
【００７４】
救急隊ＩＤと位置情報とを受信した同装置５００の位置情報受信部５３０は、位置情報更新部５４０にこの情報を渡す。ここで、上記の如く予め出動時に入力され特権者位置情報記憶部５２０に登録された救急隊ＩＤと位置情報と、今回受信した対応するデータとが比較照合され（ステップＳ６３）、その結果、一致すれば該当する救急隊が救急出動先に到着したと判断する（ステップＳ６４のＹｅｓ）。そして位置情報管理装置５００では、特権者位置情報記憶部５２０内の該当する情報項目に、現地到着した旨の情報を追記して当該情報項目を更新する。
【００７５】
上記の如く出動先の現場に到着して救助に駆けつけた救急隊は、該当する被害者本人の携帯電話装置１００を使用し、再度特権者としての救急隊ＩＤを操作入力する。同装置１００内のセキュリティー機能部１２０がこれを通信部１１０に渡す。通信部１１０は、衛星ＧＰＳ機能等を用い、当該携帯電話１００の位置情報を取得する。このようにして得られた特権者ＩＤ及び携帯電話位置情報が個人情報管理装置２００に送信される（ステップＳ６５）。
【００７６】
個人情報管理装置２００の携帯電話通信部２２０は、携帯電話１００より受信したこれらの情報をセキュリティー照合部２３０に渡す。セキュリティー照合部２３０は、この携帯電話１００から通知された救急隊ＩＤ並びに携帯電話１００の位置情報を位置情報管理装置５００内の特権者位置情報記憶部５２０に登録済みの対応するデータと照合する（ステップＳ６６）。その結果、救急隊ＩＤ及び位置情報が一致すれば（ステップＳ６７のＹｅｓ）、今回の携帯電話１００からのアクセスが個人情報管理装置２００への不正アクセスでないと判断し、個人情報アクセス部２５０に情報通知依頼を行なう。他方この救急隊ＩＤ及び位置情報の照合結果が不一致（ステップＳ６７のＮｏ）であった場合、該当するアクセスを不正アクセスと判定し、当該携帯電話装置との通信を切断する。
【００７７】
上記情報通知依頼が個人情報アクセス部２５０に対してなされた場合、当該携帯電話装置１００より発信された携帯電話番号に該当する個人情報記憶部２１０内の個人入力記憶部２１１及び機関入力記憶部２１２の情報項目を読出して携帯電話通信部２２０に渡す。携帯電話通信部２２０は、渡された個人情報を当該携帯電話１００に対して送信する（ステップＳ６８）。この情報を受信した当該携帯電話装置１００は、個人情報参照更新部１３０にてディスプレイに受信個人情報を表示する（ステップＳ６９）。その結果当該救急隊員は表示された被害者の個人情報を獲得し、適宜利用して被害者に対する医療行為、関係先への連絡等を行なう。
【００７８】
本発明は以下の付記に記載の構成を含む。
【００７９】
（付記１）
所定の権限を有する特権者による所定の当事者の個人情報の入手のための情報処理システムであって、
特権者が所定の当事者の保持する携帯端末装置にて自己のＩＤを発信すると、同時に発信される当該携帯端末装置のＩＤと該特権者のＩＤとを受信する受信手段と、
該受信された特権者のＩＤを、予め登録された特権者ＩＤと照合する照合手段と、
該照合の結果一致すれば前記携帯端末装置のＩＤを、予め登録された個人情報データベースから検索する検索手段と、
該検索手段による検索結果である前記当事者の個人情報を前記携帯端末装置に対して送信する送信手段とよりなる情報処理システム。
【００８０】
（付記２）
所定の権限を有する特権者による所定の当事者の個人情報の入手ための情報処理方法であって、
特権者が所定の当事者の保持する携帯端末装置にて自己のＩＤを発信する発信段階と、
前記発信段階にて同時に発信される当該携帯端末装置のＩＤと該特権者のＩＤとを所定の管理装置にて受信する受信段階と、
該受信された特権者のＩＤを、予め登録された特権者ＩＤと照合する照合段階と、
該照合の結果一致すれば前記携帯端末装置のＩＤを、予め登録された個人情報データベースから検索する検索段階と、
該検索段階による検索結果である前記当事者の個人情報を前記携帯端末装置に対して送信する送信段階とよりなる情報処理方法。
（付記３）
所定の権限を有する特権者による所定の当事者の個人情報の入手のための情報処理システムであって、
上記特権者が該当現場に出動する際に自己の特権者ＩＤを特定イベント特権者ＩＤとして登録する特権者ＩＤ登録手段と、
当該特権者が上記該当現場に到着時に再度自己の特権者ＩＤを発信すると共に所定の位置検出機能によって自己の位置情報を検出したのち当該位置情報を発信する特権者情報発信手段と、
前記特権者情報発信手段から発信された特権者のＩＤとその位置情報とを受信した後、該ＩＤと前記特権者ＩＤ登録段階にて登録された特定イベント特権者ＩＤと照合し、両者が一致すれば当該特権者の位置情報を特定イベント位置情報として登録する位置情報登録手段と、
前記特権者が前記所定の当事者が保持する携帯端末装置にて再度自己のＩＤを発信すると共に、当該携帯端末装置のＩＤに加え、所定の位置検出機能によって自装置の位置情報を検出して当該位置情報を発信する当事者情報発信手段と、
前記特権者情報発信手段から発信され前記位置情報登録手段にて前記特定イベント位置情報として登録された位置情報と前記当事者情報発信手段から発信された当事者の携帯端末装置の位置情報とを照合し、両者の一致を条件として前記特権者情報発信手段から発信された当該携帯端末装置のＩＤによって識別される前記当事者の個人情報を前記アクセス元の携帯端末装置に対して発信する個人情報発信手段とよりなる情報処理システム。
【００８１】
（付記４）
携帯電話通信部、セキュリティー照合部、個人情報アクセス部、特権者アクセス記憶部並びに個人情報記憶部よりなる個人情報管理装置を使用して実施する情報処理方法であって、
所定の特権者が個人情報管理装置へのアクセス権限を持つ携帯電話を使用して当該個人情報管理装置に発呼し、
特権者が有するＩＤを通知した場合、個人情報管理装置の携帯電話通信部は当該発信装置電話番号並びにＩＤを認識し、
セキュリティー照合部にてそのＩＤを特権者アクセス記憶部から検索し、検索可能であれば個人情報アクセス部にて当該携帯電話の発信電話番号を用いて個人情報記憶部から上記個人情報管理装置へのアクセス権限を持つ携帯電話の持ち主の個人情報を取得し、
携帯電話通信部にて発信元の上記携帯電話に対し当該取得済みの個人情報を送信する段階よりなり、
個人情報管理装置より当該個人情報を受信した携帯電話では特権者が携帯電話持ち主の個人情報を参照し得る構成の情報処理方法。
【００８２】
（付記５）
付記４に記載の情報処理方法あって、
個人情報管理装置へのアクセス権限を持つ携帯電話所有者本人が個人情報管理装置に発呼して当該本人が有するＩＤを通知した場合、個人情報管理装置の携帯電話通信部にてこれら発信装置電話番号及びＩＤを認識し、
セキュリティー照合部にてそのＩＤを個人アクセス者記憶部より検索し、その結果検索可能であれば個人情報アクセス部にて上記携帯電話の発信電話番号を用い、個人入力記憶部から上記個人情報管理装置へのアクセス権限を持つ携帯電話の持ち主の個人情報を取得し、
携帯電話通信部にて発信元の携帯電話にこの個人情報を送信する各段階よりなり、
その結果個人情報管理装置より個人情報を受信した携帯電話では、本人が自分の個人情報を参照や更新を行い得る構成の情報処理方法。
【００８３】
（付記６）
付記４に記載の情報処理方法であって、
個人情報管理装置へのアクセス権限を持つ機関装置から機関アクセス者が個人情報管理装置に発呼し、当該機関アクセス者が有するＩＤと個人情報管理装置へのアクセス権限を持つ携帯電話の番号を通知すると、
個人情報管理装置の携帯電話通信部にて上記機関装置の発信装置電話番号、ＩＤ、並びに個人情報管理装置へのアクセス権限を持つ携帯電話の番号を認識し、セキュリティー照合部にてそのＩＤを機関アクセス者記憶部より検索し、その結果検索可能であれば個人情報アクセス部にて上記通知された携帯電話の番号を用い、機関入力記憶部から上記個人情報管理装置へのアクセス権限を持つ携帯電話の持ち主の個人情報を取得し、
携帯電話通信部にて上記発信元の機関装置にこの個人情報を送信する各段階よりなり、
個人情報管理装置より個人情報を受信した機関装置では機関アクセス者が個人情報管理装置へのアクセス権限を持つ携帯電話の持ち主の個人情報の参照や更新を行い得る構成の情報処理方法。
【００８４】
（付記７）
救急隊出動時に消防署等から救急出動する出動先の位置情報及び、出動する救急隊ＩＤが位置情報管理装置より入力されると当該入力された位置情報及び、出動する救急隊ＩＤが特権者位置情報記憶部に保持し、
救急出動先に到着した救急隊が救急車等に備え付けられた位置情報発信装置より救急隊ＩＤを入力すると位置情報送信部は当該救急隊ＩＤの他、衛星ＧＰＳ等によって検出された救急車の位置情報を位置情報管理装置に送信し、
これら救急隊ＩＤと位置情報を受信した位置情報受信部は位置情報更新部にこの情報を渡し、これら救急隊ＩＤ並びに位置情報を上記特権者位置情報記憶部に保持された対応する情報と比較することにより該当する救急隊が救急出動先に到着したか否かを判断し、判断の結果該当する救急隊によるアクセスと判定された場合、特権者位置情報記憶部にその旨の情報を格納し、
救助に駆けつけた救急隊が被害者本人の携帯電話装置を使用して特権者としての救急隊ＩＤを入力するとセキュリティー機能部がこれを通信部に渡し、通信部は衛星ＧＰＳ等によって検出した上記携帯電話の位置情報を、特権者ＩＤ，携帯電話位置情報と共に個人情報管理装置に発信し、
個人情報管理装置の携帯電話通信部は、当該携帯電話より受信した情報をセキュリティー照合部に渡し、セキュリティー照合部は、携帯電話から通知された救急隊ＩＤ並びに携帯電話の位置情報を位置情報管理装置内の特権者位置情報記憶部に格納された対応する情報と照合し、その結果救急隊ＩＤ並びに位置情報照合が一致すれば個人情報管理装置への不正アクセスでないと判断し、個人情報アクセス部に情報通知依頼を発行し、他方、救急隊ＩＤ並びに位置情報の照合が不一致であった場合は、不正アクセスと判定して当該携帯電話装置との通信を切断し、
上記情報通知依頼によって当該携帯電話装置より発信された携帯電話番号に該当する個人情報記憶部内の個人入力記憶部及び機関入力記憶部に格納された対応する情報が携帯電話通信部に渡され、携帯電話通信部はこの個人情報を上記携帯電話に送信し、
この情報を受信した携帯電話装置は個人情報参照部にてディスプレイに受信個人情報を表示する各段階よりなる情報処理方法。
【００８５】
（付記８）
付記４乃至７のうちの何れかに記載の情報処理方法を実行するための構成を有する情報処理システム。
【００８６】
【発明の効果】
このように、本発明によれば所定の格納場所に管理保持された個人情報に対するセキュリティ機能を損なうことなく、緊急事態等、本人が自らセキュリティロック状態を解除出来ないような状況にあっても特定の特権者による当該本人の個人情報へのアクセスが可能とされ、もって当該個人情報を利用することにより該当する事態への上記特権者による迅速且つ的確な対処が可能となる。
【図面の簡単な説明】
【図１】本発明の第１実施例による情報処理システムの概略構成を示すブロック図である。
【図２】図１に示す情報処理システムの個人情報管理装置内の特権者アクセス記憶部内のデータを説明するための図（その１）である。
【図３】図１に示す情報処理システムの個人情報管理装置内の個人情報記憶部内のデータを説明するための図（その１）である。
【図４】図１に示す情報処理システムの個人情報管理装置内の個人アクセス記憶部内のデータを説明するための図（その１）である。
【図５】図１に示す情報処理システムの個人情報管理装置内の機関者アクセス記憶部内のデータを説明するための図（その１）である。
【図６】図１に示す情報処理システムの個人情報管理装置内の個人アクセス記憶部内のデータを説明するための図（その２）である。
【図７】図１に示す情報処理システムの個人情報管理装置内の個人情報記憶部内のデータを説明するための図（その２）である。
【図８】図１に示す情報処理システムの個人情報管理装置内の機関者アクセス記憶部内のデータを説明するための図（その２）である。
【図９】図１に示す情報処理システムの個人情報管理装置内の個人情報記憶部内のデータを説明するための図（その３）である。
【図１０】図１に示す情報処理システムの個人情報管理装置内の特権者アクセス記憶部内のデータを説明するための図（その２）である。
【図１１】図１に示す情報処理システムの個人情報管理装置内の個人情報記憶部内のデータを説明するための図（その４）である。
【図１２】本発明の第２実施例による情報処理システムによる個人情報登録処理の流れを説明するための図である。
【図１３】本発明の第２実施例による情報処理システムによる個人情報参照処理の流れを説明するための図である。
【図１４】本発明の第３実施例による情報処理システムの概略構成を示すブロック図である。
【図１５】本発明の第３実施例による個人情報参照処理の流れを説明するためのフローチャートである。
【符号の説明】
１００    携帯電話装置（携帯電話）
２００    個人情報管理装置
２１０    個人情報記憶部
２１１    個人入力記憶部
２１２    機関入力記憶部
２３０    セキュリティ照合部
２４０    特権者アクセス記憶部
２５０    個人情報アクセス部
２６０    個人アクセス記憶部
２７０    機関者アクセス記憶部
４００    機関装置
５００    位置情報管理装置
６００    位置情報発信装置
【図１】
2004341738.tif 000003
【図２】
2004341738.tif 000004
【図３】
2004341738.tif 000005
【図４】
2004341738.tif 000006
【図５】
2004341738.tif 000007
【図６】
2004341738.tif 000008
【図７】
2004341738.tif 000009
【図８】
2004341738.tif 000010
【図９】
2004341738.tif 000011
【図１０】
2004341738.tif 000012
【図１１】
2004341738.tif 000013
【図１２】
2004341738.tif 000014
【図１３】
2004341738.tif 000015
【図１４】
2004341738.tif 000016
【図１５】
2004341738.tif 000017